(57)【要約】【課題】スリット弁を備えていても、部品点数の増大を防ぐ。【解決手段】内容物が収容される容器本体Ｗの口部Ｗ１に装着される有頂筒状のキャップ本体１１と、キャップ本体の天壁部１２を開閉する蓋体１３と、キャップ本体と蓋体とを連結するヒンジ部１４と、を備えるとともに、キャップ本体、蓋体、およびヒンジ部が一体に形成されたヒンジキャップ１であって、天壁部に、破断可能な弱化ライン２１が形成されるとともに、弱化ラインの破断により、天壁部を上下方向に貫き拡開可能なスリットが形成され、蓋体において、弱化ラインと上下方向で対向する対向部分に、下方に向けて変形し、弱化ラインを押下可能な押下部２３が形成されている。【選択図】図１
2020164186.tif 000002
【特許請求の範囲】
【請求項１】
内容物が収容される容器本体の口部に装着される有頂筒状のキャップ本体と、
前記キャップ本体の天壁部を開閉する蓋体と、
前記キャップ本体と前記蓋体とを連結するヒンジ部と、を備えるとともに、前記キャップ本体、前記蓋体、および前記ヒンジ部が一体に形成されたヒンジキャップであって、
前記天壁部に、破断可能な弱化ラインが形成されるとともに、前記弱化ラインの破断により、前記天壁部を上下方向に貫く開閉可能なスリットが形成され、
前記蓋体において、前記弱化ラインと上下方向で対向する対向部分に、下方に向けて変形し、前記弱化ラインを押下可能な押下部が形成されている、ヒンジキャップ。
【請求項２】
前記押下部は、下方に向けて弾性変形可能に形成されている、請求項１に記載のヒンジキャップ。
【請求項３】
前記蓋体の前記対向部分に、下方に向けて窪む窪み部が形成され、
前記押下部は、前記窪み部の底壁に形成されている、請求項１または２に記載のヒンジキャップ。
【請求項４】
前記押下部に、下方に向けて尖る刃部が形成されている、請求項１から３のいずれか１項に記載のヒンジキャップ。
【請求項５】
前記刃部は、前記弱化ラインと上下方向で対向するとともに、上下方向から見て、前記弱化ラインが延びる方向に沿って延びている、請求項４に記載のヒンジキャップ。
【請求項６】
前記弱化ラインは、前記天壁部のうち、他の部分より薄肉に形成されて弾性変形可能な薄肉部に形成されている、請求項１から５のいずれか１項に記載のヒンジキャップ。
【発明の詳細な説明】
【技術分野】
【０００１】
本発明は、ヒンジキャップに関するものである。
【背景技術】
【０００２】
ヒンジキャップは一般に、内容物が収容される容器本体の口部に装着される有頂筒状のキャップ本体と、キャップ本体の天壁部を開閉する蓋体と、キャップ本体と蓋体とを連結するヒンジ部と、を備えるとともに、キャップ本体、蓋体、およびヒンジ部が一体に形成されている。この種のヒンジキャップとして、例えば下記特許文献１に示されるような、キャップ本体の天壁部に、天壁部を上下方向に貫く筒体が形成され、この筒体のうち、天壁部より下方に位置する部分に、有頂筒状のスリット弁が嵌合された構成が知られている。
【先行技術文献】
【特許文献】
【０００３】
【特許文献１】特許第４１４５５２３号公報
【発明の概要】
【発明が解決しようとする課題】
【０００４】
しかしながら、前記従来のヒンジキャップでは、部品点数を削減することに改善の余地があった。
【０００５】
本発明は、このような事情を考慮してなされたもので、スリット弁を備えていても、部品点数の増大を防ぐことができるヒンジキャップを提供することを目的とする。
【課題を解決するための手段】
【０００６】
上記課題を解決して、このような目的を達成するために、本発明のヒンジキャップは、内容物が収容される容器本体の口部に装着される有頂筒状のキャップ本体と、前記キャップ本体の天壁部を開閉する蓋体と、前記キャップ本体と前記蓋体とを連結するヒンジ部と、を備えるとともに、前記キャップ本体、前記蓋体、および前記ヒンジ部が一体に形成されたヒンジキャップであって、前記天壁部に、破断可能な弱化ラインが形成されるとともに、前記弱化ラインの破断により、前記天壁部を上下方向に貫く開閉可能なスリットが形成され、前記蓋体において、前記弱化ラインと上下方向で対向する対向部分に、下方に向けて変形し、前記弱化ラインを押下可能な押下部が形成されている。
【０００７】
この発明によれば、キャップ本体の天壁部に、破断可能な弱化ラインが形成され、蓋体において、弱化ラインと上下方向で対向する対向部分に、下方に向けて変形し、弱化ラインを押下可能な押下部が形成されている。これにより、蓋体の前記対向部分を押下して押下部を下方に向けて変形させ、押下部により弱化ラインを押下すると、弱化ラインが破断され、天壁部を上下方向に貫く開閉可能なスリットが形成される。そして、キャップ本体の天壁部の下面に、容器本体の内圧、若しくは内容物の流動圧が及ぼされると、スリットが拡開して内容物が吐出される。
以上より、キャップ本体、蓋体、およびヒンジ部が一体に形成されていて、キャップ本体の天壁部に形成された弱化ラインを破断することによって、キャップ本体にスリット弁が備えられることとなるので、スリット弁を備えたヒンジキャップを、部品点数を増大させずに得ることができる。
【０００８】
キャップ本体の天壁部に、破断可能な弱化ラインが形成されていて、弱化ラインが破断されて初めてスリットが形成され、容器本体内が外部に開放可能となるので、例えば口部の上端開口縁にシール材等を貼着しなくても、容器本体内の密封性を流通段階で確保することができる。
蓋体の前記対向部分に、弱化ラインを押下可能な押下部が形成されているので、ヒンジキャップを口部から分離せず、キャップ本体を口部に装着したままの状態で、弱化ラインを破断しスリットを形成して開封することができる。
以上より、部品点数を確実に削減することができるばかりでなく、例えば、使用者が、購入後はじめて内容物を吐出するのに開封する際に、ヒンジキャップを口部から分離した状態で、口部の上端開口縁に貼着されているシール材を剥がした後に、再度、キャップ本体を口部に装着するなどといった操作が不要になることから、開封の前後で、キャップ本体と口部との間のシール状態が変化するのを防ぐことが可能になり、開封後に、キャップ本体と口部との間のシール性が確保されていない場合が生ずるのを無くすことができる。
【０００９】
ここで、前記押下部は、下方に向けて弾性変形可能に形成されてもよい。
【００１０】
この場合、押下部が、下方に向けて弾性変形可能に形成されているので、蓋体の前記対向部分を押下して押下部により弱化ラインを破断した後、この押下を解除したときに、押下部が上方に復元変形することとなり、開封後の待機状態で、押下部によりスリットが拡開状態に維持されるのを抑制することができる。
【００１１】
また、前記蓋体の前記対向部分に、下方に向けて窪む窪み部が形成され、前記押下部は、前記窪み部の底壁に形成されてもよい。
【００１２】
この場合、押下部が、蓋体の前記対向部分に形成された窪み部の底壁に形成されているので、押下部に不意の外力が及ぼされにくくなり、未開封状態で、不意の外力により、押下部が下方に向けて変形して弱化ラインが破断するのを抑制することができる。
【００１３】
また、前記押下部に、下方に向けて尖る刃部が形成されてもよい。
【００１４】
この場合、押下部に、下方に向けて尖る刃部が形成されているので、蓋体の前記対向部分を押下して押下部を下方に向けて変形させたときに、弱化ラインを確実に破断することができる。
【００１５】
また、前記刃部は、前記弱化ラインと上下方向で対向するとともに、上下方向から見て、前記弱化ラインが延びる方向に沿って延びてもよい。
【００１６】
この場合、刃部が、弱化ラインと上下方向で対向するとともに、上下方向から見て、弱化ラインが延びる方向に沿って延びているので、蓋体の前記対向部分を押下して押下部を下方に向けて変形させたときに、弱化ラインをより一層確実に破断することができる。
【００１７】
また、前記弱化ラインは、前記天壁部のうち、他の部分より薄肉に形成されて弾性変形可能な薄肉部に形成されてもよい。
【００１８】
この場合、弱化ラインが、天壁部のうち、他の部分より薄肉に形成されて弾性変形可能な薄肉部に形成されているので、容器本体の内圧、若しくは内容物の流動圧の変動に応じて、薄肉部が弾性変形することとなり、弱化ラインが破断されて形成されたスリットを、容器本体の内圧、若しくは内容物の流動圧の変動に応じて応答性よく円滑に開閉させることができる。
【発明の効果】
【００１９】
本発明によれば、スリット弁を備えていても、部品点数の増大を防ぐことができる。
【図面の簡単な説明】
【００２０】
【図１】本発明に係る一実施形態として示したヒンジキャップの縦断面図である。
【図２】図１のヒンジキャップの蓋体を開いた状態を示す上面図である。
【図３】図１のヒンジキャップにおいて、蓋体の押下部を下方に向けて変形させ、弱化ラインを破断した状態を示す縦断面図である。
【図４】図３のヒンジキャップにおいて、蓋体を開いて内容物を吐出している状態を示す縦断面図である。
【発明を実施するための形態】
【００２１】
以下、図面を参照し、本発明の一実施形態に係るヒンジキャップ１について説明する。
本実施形態のヒンジキャップ１は、図１から図４に示されるように、内容物が収容される容器本体Ｗの口部Ｗ１に装着される有頂筒状のキャップ本体１１と、キャップ本体１１の天壁部１２を開閉する蓋体１３と、キャップ本体１１と蓋体１３とを連結するヒンジ部１４と、を備えるとともに、キャップ本体１１、蓋体１３、およびヒンジ部１４が一体に形成されている。
【００２２】
図示の例では、蓋体１３は有頂筒状に形成されており、蓋体１３およびキャップ本体１１は共通軸と同軸に配設されている。以下、この共通軸を中心軸線Ｏといい、中心軸線Ｏに沿う軸方向から見て、中心軸線Ｏに交差する方向を径方向といい、中心軸線Ｏ回りに周回する方向を周方向という。軸方向のうち、蓋体１３の頂壁部１５側を上側といい、キャップ本体１１の周壁部１６の開放端側を下側という。
【００２３】
キャップ本体１１の周壁部１６の内周面に、口部Ｗ１に螺着される雌ねじ部が形成されている。なお、キャップ本体１１は、口部Ｗ１に打栓により嵌合されてもよい。
キャップ本体１１の天壁部１２の下面は、口部Ｗ１の上端開口縁に周方向の全域にわたって連続して密に当接している。キャップ本体１１の天壁部１２に下方に向けて突出し、口部Ｗ１内に密に嵌合するシール筒１７が形成されている。このように、キャップ本体１１と口部Ｗ１とが密に当接することにより、キャップ本体１１と口部Ｗ１との間のシール性が確保されている。
【００２４】
天壁部１２のうち、シール筒１７に径方向の内側から連なる部分は、上方に向けて隆起した有頂筒状の隆起部１８となっている。隆起部１８は、中心軸線Ｏと同軸に配設され、円筒状に形成されている。隆起部１８の頂壁１９の外周縁部に、上方に向けて突出し、周方向の全域にわたって連続して延びる環状突起１９ａが形成されている。隆起部１８の頂壁１９のうち、環状突起１９ａより径方向の内側に位置する部分は、天壁部１２の中で最も薄肉に形成されて弾性変形可能な薄肉部１９ｂとなっている。薄肉部１９ｂは、下方に向けて突となるように湾曲している。薄肉部１９ｂは、上下方向に反転変形可能に形成されている。
【００２５】
天壁部１２に、破断可能な弱化ライン２１が形成されている。弱化ライン２１は、薄肉に形成され、その全長にわたって連続して閉塞しており、弱化ライン２１を通した容器本体Ｗ内と外部との連通が遮断され、容器本体Ｗ内の密封性が確保されている。弱化ライン２１の破断により、図３および図４に示されるように、天壁部１２を上下方向に貫く開閉可能なスリットＳが形成される。弱化ライン２１は、天壁部１２の下面に形成された凹溝となっている。
【００２６】
弱化ライン２１は、天壁部１２の薄肉部１９ｂに形成されている。図２に示されるように、弱化ライン２１の少なくとも一部は、上下方向から見て、径方向のうち、中心軸線Ｏとヒンジ部１４の周方向の中央部とを通る直線が延びる延在方向に延びている。この延在方向のうち、ヒンジ部１４の周方向の中央部から中心軸線Ｏに向かう向きは、内容物を吐出する際に、容器本体Ｗを傾ける向き（以下、吐出向きという。）と一致する。
図示の例では、弱化ライン２１は、上下方向から見て中心軸線Ｏで交差する十字形状を呈する。なお、弱化ライン２１を上下方向から見た形状は、例えば１本の直線状等であってもよく、適宜変更してもよい。
【００２７】
蓋体１３の頂壁部１５の下面に、下方に向けて突出し、隆起部１８の周壁に着脱可能に嵌合した嵌合筒２４が形成されている。嵌合筒２４の内周面は、周方向の全域にわたって隆起部１８の周壁の外周面に密に当接している。
蓋体１３において、弱化ライン２１と上下方向で対向する対向部分に、下方に向けて窪む窪み部１３ａが形成されている。蓋体１３の頂壁部１５の下面のうち、窪み部１３ａの内周面の直下に位置する部分に、周方向の全域にわたって連続して延びる環状突起１３ｃが形成されている。この環状突起１３ｃは、隆起部１８の環状突起１９ａに対して、近接した状態で径方向の内側に位置している。なお、蓋体１３の環状突起１３ｃは、隆起部１８の環状突起１９ａに当接してもよい。
【００２８】
蓋体１３の前記対向部分に、下方に向けて変形し、弱化ライン２１を押下可能な押下部２３が形成されている。押下部２３は、下方に向けて弾性変形可能に形成されている。押下部２３は、窪み部１３ａの底壁に形成されている。押下部２３は、窪み部１３ａの底壁における全域にわたって形成されている。
押下部２３は、天壁部１２の薄肉部１９ｂと上下方向で対向している。押下部２３および薄肉部１９ｂそれぞれの外径は互いに同等とされ、押下部２３および薄肉部１９ｂは、中心軸線Ｏと同軸に配設されている。
【００２９】
押下部２３は、剛体部２５および弾性部２６を備えている。
剛体部２５は、中心軸線Ｏと同軸に配設され、上下方向から見て円形状を呈する板状に形成されている。
弾性部２６は、窪み部１３ａの内周面と剛体部２５の外周縁部とを連結し、弾性変形可能に形成されている。弾性部２６は、径方向の外側から内側に向かうに従い、上方に向けて延びている。弾性部２６は、径方向の外側に向けて突の曲面状に形成されている。弾性部２６が下方に向けて弾性変形することで、剛体部２５が下方に向けて弾性変位する。図示の例では、弾性部２６は、上下方向に反転変形可能に形成されている。なお、弾性部２６は、例えば蛇腹状に形成する等適宜変更してもよい。
【００３０】
剛体部２５の上面、および蓋体１３の頂壁部１５の上面それぞれの上下方向の位置は互いに同等になっている。剛体部２５の上面に、一方向に延びる突リブ２５ａが、この一方向に直交する他方向に間隔をあけて複数形成されている。この他方向は、前述の延在方向と一致している。
【００３１】
蓋体１３の頂壁部１５の上面において、窪み部１３ａより径方向の外側に位置する部分に、周方向の全域にわたって連続して延びる環状の貼着突起１３ｂが設けられている。貼着突起１３ｂは、蓋体１３と一体に形成されている。貼着突起１３ｂの上面は、剛体部２５の上面より上方に位置している。貼着突起１３ｂの上面に、保護フィルムＦが剥離可能に貼着されている。保護フィルムＦは、窪み部１３ａを閉塞し、押下部２３の全体を上方から覆っている。保護フィルムＦの外周縁部は、容器本体Ｗ、キャップ本体１１の周壁部１６、および蓋体１３の周壁部を一体に覆うシュリンクフィルムＬにより覆われている。
【００３２】
押下部２３に、下方に向けて尖る刃部２７が形成されている。刃部２７は、弱化ライン２１と上下方向で対向するとともに、上下方向から見て、弱化ライン２１が延びる方向に沿って延びている。図示の例では、刃部２７は、上下方向から見て、弱化ライン２１と同じ形状で、かつ同じ大きさに形成されるとともに、刃部２７の全体が、上下方向から見て、弱化ライン２１と同じ位置に配設されている。刃部２７は、剛体部２５の下面に形成され、剛体部２５における径方向の全域にわたって連続して延びている。
【００３３】
以上の構成において、シュリンクフィルムＬを除去して保護フィルムＦを引き上げ、貼着突起１３ｂの上面から剥離して、押下部２３を露呈させた状態で、図３に示されるように、押下部２３を押下し、刃部２７により弱化ライン２１を押下すると、弱化ライン２１が破断され、キャップ本体１１の天壁部１２を上下方向に貫く開閉可能なスリットＳが形成される。押下部２３の押下を解除すると、弾性部２６が上方に向けて復元変形し、剛体部２５が上昇して刃部２７がキャップ本体１１の天壁部１２から上方に離間する。これにより、スリットＳが閉じ、容器本体Ｗ内と外部との連通が遮断される。そして、図４に示されるように、容器本体Ｗを前述の吐出向きに傾けた状態で、キャップ本体１１の天壁部１２の下面に、容器本体Ｗの内圧、若しくは内容物の流動圧が及ぼされると、スリットＳが拡開して内容物が吐出される。
【００３４】
この際、弱化ライン２１の少なくとも一部が、上下方向から見て、前述の吐出向きに沿って延びていることから、この吐出向きに対して交差する方向に延びている場合と比べて、スリットＳを拡開させるのに要する、天壁部１２の下面側からの押上力が高められることとなる。これにより、良好な液切れ性を具備させることが可能になり、吐出後に内容物が天壁部１２の上面に付着するのを抑制することができるとともに、容器本体Ｗを前述の吐出向きに単に傾けただけでは、スリットＳを拡開しにくくすることが可能になり、内容物が意図せず吐出されてしまうのを抑制することができる。
【００３５】
以上説明したように、本実施形態によるヒンジキャップ１によれば、キャップ本体１１、蓋体１３、およびヒンジ部１４が一体に形成されていて、天壁部１２に形成された弱化ライン２１を破断することによって、キャップ本体１１にスリット弁が備えられることとなるので、スリット弁を備えたヒンジキャップ１を、部品点数を増大させずに得ることができる。
【００３６】
キャップ本体１１の天壁部１２に、破断可能な弱化ライン２１が形成されていて、弱化ライン２１が破断されて初めてスリットＳが形成され、容器本体Ｗ内が外部に開放可能となるので、例えば口部Ｗ１の上端開口縁にシール材等を貼着しなくても、容器本体Ｗ内の密封性を流通段階で確保することができる。
蓋体１３の前記対向部分に、弱化ライン２１を押下可能な押下部２３が形成されているので、ヒンジキャップ１を口部Ｗ１から分離せず、キャップ本体１１を口部Ｗ１に装着したままの状態で、弱化ライン２１を破断しスリットＳを形成して開封することができる。
【００３７】
以上より、部品点数を確実に削減することができるばかりでなく、例えば、使用者が、購入後はじめて内容物を吐出するのに開封する際に、ヒンジキャップ１を口部Ｗ１から分離した状態で、口部Ｗ１の上端開口縁に貼着されているシール材を剥がした後に、再度、キャップ本体１１を口部Ｗ１に装着するなどといった操作が不要になることから、開封の前後で、キャップ本体１１と口部Ｗ１との間のシール状態が変化するのを防ぐことが可能になり、開封後に、キャップ本体１１と口部Ｗ１との間のシール性が確保されていない場合が生ずるのを無くすことができる。
【００３８】
押下部２３が、下方に向けて弾性変形可能に形成されているので、蓋体１３の前記対向部分を押下して押下部２３により弱化ライン２１を破断した後、この押下を解除したときに、押下部２３が上方に復元変形することとなり、開封後の待機状態で、押下部２３によりスリットＳが拡開状態に維持されるのを抑制することができる。
【００３９】
押下部２３が、蓋体１３の前記対向部分に形成された窪み部１３ａの底壁に形成されているので、押下部２３に不意の外力が及ぼされにくくなり、未開封状態で、不意の外力により、押下部２３が下方に向けて変形して弱化ライン２１が破断するのを抑制することができる。
【００４０】
押下部２３に、下方に向けて尖る刃部２７が形成されているので、蓋体１３の前記対向部分を押下して押下部２３を下方に向けて変形させたときに、弱化ライン２１を確実に破断することができる。
刃部２７が、弱化ライン２１と上下方向で対向するとともに、上下方向から見て、弱化ライン２１が延びる方向に沿って延びているので、蓋体１３の前記対向部分を押下して押下部２３を下方に向けて変形させたときに、弱化ライン２１をより一層確実に破断することができる。
【００４１】
弱化ライン２１が、天壁部１２のうち、他の部分より薄肉に形成されて弾性変形可能な薄肉部１９ｂに形成されているので、容器本体Ｗの内圧、若しくは内容物の流動圧の変動に応じて、薄肉部１９ｂが弾性変形することとなり、弱化ライン２１が破断されて形成されたスリットＳを、容器本体Ｗの内圧、若しくは内容物の流動圧の変動に応じて応答性よく円滑に開閉させることができる。
【００４２】
本発明は上記した実施の形態に限定されるものではなく、その趣旨を逸脱しない範囲で適宜変更可能である。
【００４３】
例えば  前記実施形態では、押下部２３として、下方に向けて弾性変形可能に形成された構成を示したが、弾性変形せず、単に下方に向けて変形する構成を採用してもよい。
弱化ライン２１を破断してスリットＳを形成した後に、押下部２３をキャップ本体１１の天壁部１２の上面に当接させたままにしてもよい。
前記実施形態では、押下部２３が、窪み部１３ａの底壁における全域にわたって形成された構成を示したが、窪み部１３ａの底壁における一部にのみ形成された構成を採用してもよい。
蓋体１３の頂壁部１５に窪み部１３ａを形成しなくてもよい。
【００４４】
押下部２３に刃部２７を形成しなくてもよい。
刃部２７の少なくとも一部は、上下方向から見て、弱化ライン２１から離れた位置に配設されてもよい。
弱化ライン２１、および刃部２７それぞれの形状、大きさ、および配設位置の少なくとも１つを、互いに異ならせてもよい。
天壁部１２に薄肉部１９ｂを形成しなくてもよい。
隆起部１８を有さず、全域にわたって平坦な天壁部１２を採用してもよい。
【００４５】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００４６】
１  ヒンジキャップ
１１  キャップ本体
１２  天壁部
１３  蓋体
１３ａ  窪み部
１４  ヒンジ部
１９ｂ  薄肉部
２１  弱化ライン
２３  押下部
２７  刃部
Ｓ  スリット
Ｗ  容器本体
Ｗ１  口部
【図１】
2020164186.tif 000003
【図２】
2020164186.tif 000004
【図３】
2020164186.tif 000005
【図４】
2020164186.tif 000006